(57)【要約】      （修正有）【課題】偏荷重を有する光ディスクを再生させた場合でも光ディスクを正確に再生することができ、また、不要な振動が生じてしまうことを防止する。【解決手段】前面にピンを備え光ディスクを再生する再生部６と、ピンを挿入し前方に突出する突出部７と、弾性体を備え再生部の後方部分を弾性体により保持する弾性保持手段と、突出部を挿入し突出部が上下方向に移動可能な長孔部１１１を備える保持部１１と、左右方向に対して上下に傾斜する傾斜溝１２２を備えると共に傾斜溝の左右の一端にそれぞれ連通し水平方向に長孔を有する水平溝１２３を備え突出部が傾斜溝または水平溝に挿入され左右方向にスライド可能なスライド部１２と、スライド部を左右方向にスライドさせるスライド駆動部とを備え、突出部は、ピンを挿入し後端に鍔部を備える弾性部と、弾性部の前方部分を挿入し後端に鍔部を備えるキャップ部とを備える。【選択図】図２
2010086599.tif 000002
【特許請求の範囲】
【請求項１】
筐体と、
前記筐体の前面に開口する開口部と、
光ディスクを載置するディスク載置部を備えるローダ部を備え前記開口部を介して当該ローダ部を前記筐体の外部から前記筐体の内部に移動させるローダ駆動手段と、
前面に前方に突出するピンを備え前記ローダ駆動手段によって前記筐体の内部に移動された光ディスクに記録されたデータを再生する再生部と、
前記ピンを挿入し前方に突出する突出部と、
弾性体を備え前記再生部の後方部分を当該弾性体により保持する弾性保持手段と、
前記突出部を挿入し前記突出部が上下方向に移動可能な長孔部を備える保持部と、
左右方向に対して上下に傾斜する傾斜溝を備えると共に当該傾斜溝の左右の一端にそれぞれ連通し水平方向に長孔を有する水平溝を備え前記突出部が当該傾斜溝または当該水平溝に挿入され左右方向にスライド可能なスライド部と、
前記スライド部を左右方向にスライドさせるスライド駆動部とを備え、
前記突出部は、弾性体により形成され前記ピンを挿入し後端に前記長孔部の水平方向の内径より大きい外径を形成する鍔部を備える弾性部と、前記弾性部の前方部分を挿入し後端に前記長孔部の水平方向の内径より大きい外径を形成する鍔部を備えるキャップ部とを備えることを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、光ディスクを載置したローダ部を筐体の内部に移動させ、筐体内部に備えるターンテーブルによって当該光ディスクを回転させることによって、光ディスクに記録されたデータを再生するディスクローディング機構を有する光ディスク再生装置が知られている（例えば、特許文献１参照。）。
【０００３】
特許文献１に開示された光ディスク再生装置は、光ディスクを回転させるターンテーブル及び光ディスクに記録されたデータを再生する光ピックアップ等を備えた再生部（特許文献１ではトラバース系２７）を備える。この再生部は、一端が筐体本体に軸支され、他端にピン（特許文献１ではピン部２８）を備える。このピンは、スライド部（特許文献１ではスライドレバーＡ１８）に備えた溝部（特許文献１ではカム溝２３）に係合し、当該スライド部がスライドすることによって昇降する。これにより、再生部は、筐体に軸支された一端部分を軸として上下に昇降可能となっている。
【０００４】
前述したように、特許文献１に開示された光ディスク再生装置は、先ず、ローダ部が光ディスクを筐体内に移動させ、次に、筐体内に移動された光ディスクの下方から筐体に一端が軸支された再生部が上昇して再生部に備えるターンテーブルが光ディスクを保持した後、当該ターンテーブルが光ディスクを回転させると共に光ピックアップが光ディスクに記録されたデータを読み取ることによって、光ディスクに記録されたデータを再生する構成となっている。
【０００５】
【特許文献１】特開平６−２５１４８１号公報
【発明の開示】
【発明が解決しようとする課題】
【０００６】
特許文献１に開示されているような従来の光ディスク再生装置は、通常、再生部の一端の左右側面からそれぞれ水平方向に軸が突出し、この軸を筐体に固定された軸受けが軸支することによって再生部の一端を軸支する構成となっている。このため、例えば、偏荷重を有する光ディスクをターンテーブルによって回転させた場合、光ディスクの有する偏荷重によって当該光ディスクが水平方向又は上下方向に振動する。このとき、光ディスクから発生した振動が再生部に備える光ピックアップにも伝達してしまい、光ディスクに記録されているデータを光ピックアップが正確に読み取ることができなくなる。また、光ディスクから発生した振動によって再生部が常に振動している状態が長時間に亘ると、この断続的な振動によって再生部に備える光ピックアップや他の電子部品が破損してしまう虞がある。更に、光ディスクから発生した振動が、再生部６を介して筐体２にも伝達し、筐体２にも振動が発生してしまう。筐体２が振動することにより、光ディスク再生装置１の全体に振動が生じて不要な騒音を発生させてしまい、また、筐体２に備えるローダ駆動用モータ５、スライド駆動部１５及び制御部等が振動により破損してしまう虞がある。
【０００７】
本発明は、再生部を昇降することによって光ディスクに記録されたデータを再生する光ディスク再生装置において、偏荷重を有する光ディスクを再生させた場合でも光ディスクに記録されたデータを正確に再生することができ、また、不要な振動が生じてしまうことを防止することができる光ディスク再生装置を提供することを目的とする。
【課題を解決するための手段】
【０００８】
本願の請求項１記載の発明は、光ディスク再生装置において、筐体と、前記筐体の前面に開口する開口部と、光ディスクを載置するディスク載置部を備えるローダ部を備え前記開口部を介して当該ローダ部を前記筐体の外部から前記筐体の内部に移動させるローダ駆動手段と、前面に前方に突出するピンを備え前記ローダ駆動手段によって前記筐体の内部に移動された光ディスクに記録されたデータを再生する再生部と、前記ピンを挿入し前方に突出する突出部と、弾性体を備え前記再生部の後方部分を当該弾性体により保持する弾性保持手段と、前記突出部を挿入し前記突出部が上下方向に移動可能な長孔部を備える保持部と、左右方向に対して上下に傾斜する傾斜溝を備えると共に当該傾斜溝の左右の一端にそれぞれ連通し水平方向に長孔を有する水平溝を備え前記突出部が当該傾斜溝または当該水平溝に挿入され左右方向にスライド可能なスライド部と、前記スライド部を左右方向にスライドさせるスライド駆動部とを備え、前記突出部は、弾性体により形成され前記ピンを挿入し後端に前記長孔部の水平方向の内径より大きい外径を形成する鍔部を備える弾性部と、前記弾性部の前方部分を挿入し後端に前記長孔部の水平方向の内径より大きい外径を形成する鍔部を備えるキャップ部とを備えることを特徴とする。
【発明の効果】
【０００９】
本発明によれば、再生部を昇降することによって光ディスクに記録されたデータを再生する光ディスク再生装置において、偏荷重を有する光ディスクを再生させた場合でも光ディスクに記録されたデータを正確に再生することができ、また、不要な振動が生じてしまうことを防止することができる光ディスク再生装置を提供することができる。
【発明を実施するための最良の形態】
【００１０】
本発明の実施の形態を図面を参照して説明する。なお、従来技術で示した構成要素と同一の部分については同符号を用いる。
【００１１】
図１は、本発明の一実施例の光ディスク再生装置を示す上面図である。
光ディスク再生装置１は、筐体２、ローダ部３、案内部４、ローダ駆動用モータ５、再生部６、突出部７、ゴムブッシュ８、ベース部１０、保持部１１、スライド部１２、スライド案内部１３、スライド駆動部１５、後述するクランパ、スプリング及び図示しない制御部を備える。
図１においては、下方を光ディスク再生装置１の前方とする。
【００１２】
筐体２は、箱型を形成し、前面に開口部２０１を備える。ローダ部３は、平板であって、中央部分にディスク載置部３０１を備える。ディスク載置部３０１は、上面に図示しない光ディスクを載置可能な凹部３０２を備え、凹部３０２の中央部分に孔３０３を備える。ローダ部３の左右部分の下面にはそれぞれ下方に突出する凸部３０４を備え、上方から見て左側の凸部３０４の内側にはラックギヤ３０５を備える。
【００１３】
案内部４は、ローダ部３の左右の側面に近接した位置にそれぞれ配設された状態で筐体２に固定される。ローダ部３は、左右の側面に案内部４が近接していることによって、左右方向への移動が抑止され、筐体２に対して前後方向にのみ移動可能となる。ローダ駆動用モータ５は、回転軸にピニオン５０１を備え、このピニオン５０１は、ラックギヤ３０５に噛合っている。ローダ駆動用モータ５は、制御部の制御によりピニオン５０１を時計回り方向又は反時計回り方向に回転させる。ローダ部３は、ローダ駆動用モータ５のピニオン５０１が時計回り方向又は反時計回り方向に回転することによって、ピニオン５０１に噛合ったラックギヤ３０５が前後方向に移動し、開口部２０１を介して筐体２の前方と筐体２内部との間を自在にスライドする。
【００１４】
再生部６は、筐体２の内部に配設され、前面に前方に突出した２つのピン６０５を備える。再生部６は、後方部分の左右部分にそれぞれ孔６０８を備える。ゴムブッシュ８は、外周部分に溝を備え、当該溝に孔６０８の内壁部分を挿入することにより孔６０８に保持される。再生部６は、上面にターンテーブル６０１、スピンドルモータ６０２、光ピックアップ６０３及びピックアップ駆動部６０４を備える。
【００１５】
ターンテーブル６０１は、ローダ部３によって筐体２の内部に搬送された光ディスクを保持する。スピンドルモータ６０２は、制御部の制御によりターンテーブル６０１を回転させる。ピックアップ駆動部６０４は、制御部の制御により、スピンドルモータ６０２の軸方向に光ピックアップ６０３をスライド駆動させる。光ピックアップ６０３は、光ディスクに記録されたオーディオデータを読み取る。
【００１６】
保持部１１は、下面が筐体２に固定され、再生部６の前方となる位置に配設される。スライド部１２は、保持部１１の前方となる位置に配設される。
【００１７】
図２は、保持部１１及びスライド部１２の構成を示す図で、図２（ａ）は保持部１１を示す正面図、図２（ｂ）は保持部１１とスライド部１２の構成を示す正面図である。
【００１８】
図１及び図２（ａ）に示すように、保持部１１は、薄い板状を成し、前後に貫通し長手方向が上下方向である２つの長孔部１１１を備える。２つの長孔部１１１は、再生部６の前面に備える２つのピン６０５がそれぞれ貫通した状態となる。
【００１９】
図１及び図２（ｂ）に示すように、スライド部１２は、下方部分が前方に突出したＬ字型を形成し、前方部分に歯部１２１を備える。スライド部１２は、前後方向に貫通し前方から見て右側方向に亘って上方に傾斜した２つの傾斜溝１２２を備え、この傾斜溝１２２の両端部分にはそれぞれ当該傾斜溝１２２に連通し水平方向に長孔を有する水平溝１２３及び水平溝１２４を備える。
【００２０】
スライド案内部１３は、下方に凹部１３１を備え、両端が筐体２に固定される。スライド案内部１３の凹部１３１には、スライド部１２の下方部分の前方に突出した部分が挿入された状態となり、スライド部１２の上下方向への移動を抑止する。
【００２１】
スライド部１２は、スライド案内部１３によって上下方向への移動を抑止されることから、スライド案内部１３及び筐体２に狭持された状態となり、この結果、左右方向にスライド可能となる。
【００２２】
図１に示すように、スライド駆動部１５は、モータ１５１、ウォーム１５２、ウォームホイール１５３、プーリ１５６及びベルト１５７を備える。モータ１５１は、筐体２に固定され、図示しない制御部の制御によってウォーム１５２を時計回り方向又は反時計回り方向に回転させる。ウォームホイール１５３は、ウォーム１５２と噛合った状態で筐体２に軸支される。ウォームホイール１５３は、同軸上にプーリ１５４を備える。ウォーム１５２に噛合ったウォームホイール１５３は、ウォーム１５２が回転することにより回転する。ベルト１５７は、プーリ１５４とプーリ１５６との間に掛架され、ウォームホイール１５３の回転力をプーリ１５６に伝達する。プーリ１５６は、同軸上にピニオン１５５を備え、このピニオン１５５は、スライド部１２の歯部１２１と噛合っている。ピニオン１５５は、ウォーム１５２の回転力がウォームホイール１５３、プーリ１５４及びベルト１５７を介してプーリ１５６に伝達され、回転することによって、噛合ったスライド部１２の歯部１２１を右方向または左方向にスライドさせる。
【００２３】
この構成により、スライド駆動部１５は、モータ１５１が時計回り方向または反時計回り方向に回転することによって、スライド部１２を右方向または左方向にスライドさせる。
【００２４】
図３は、突出部７、ゴムブッシュ８及びスプリング９の構成を示す図で、図２（ａ）は図１に示す突出部７のＡ−Ａ断面図、図２（ｂ）は図１に示すゴムブッシュ８及びその周辺部分のＢ−Ｂ断面図である。
【００２５】
図３（ａ）に示すように、突出部７は、弾性部７０、キャップ部７１及びＥリング７２を備える。弾性部７０は、円柱形を形成したゴム部材であり、中心部分には前後方向に貫通する孔７０１を備え、後端部分に鍔部７０２を備える。
【００２６】
キャップ部７１は、後方に開口した円筒形を形成した硬質な鉄鋼部材またはプラスチック部材から成り、中心部分には前後方向に貫通する孔７１１を備え、後端部分に鍔部７１２を備える。
【００２７】
弾性部７０は、孔７０１に再生部６のピン６０５が挿入され、また、キャップ部７１が前方部分に挿入された状態となる。このとき、ピン６０５は、孔７０１及び孔７１１から前方に突出する長さに配設され、先端部分に外径が孔７１１の内径より大きい外径を有するＥリング７２がはめ込まれることにより、弾性部７０及びキャップ部７１を保持した状態となる。
【００２８】
このように、突出部７は、キャップ部７１が被せられた弾性部７０の孔７０１がピン６０５に挿入され、ピン６０５の先端部分にＥリング７２がはめ込まれた状態で保持部１１の長孔部１１１及びスライド部１２の水平溝１２４に挿入した状態となる。このとき、弾性部７０の鍔部７０２及びキャップ部７１の鍔部７１２は、保持部１１の長孔部１１１の水平方向の内径より大きい外径に配設される。
【００２９】
図３（ｂ）に示すように、ベース部１０の上面には、スプリング９の下面が図示しない接着剤により固定されスプリング９の上面には図示しない接着剤によって、孔６０８に保持されたゴムブッシュ８が固定されている。これにより、再生部６は、ゴムブッシュ８及びスプリング９によって保持された状態となり、ゴムブッシュ８及びスプリング９の弾性により再生部６を保持する弾性保持手段となる。
【００３０】
図４は、ローダ部３によって光ディスクを筐体２の内部にローディングした場合における再生部６とスライド部１２の動作の過程を説明する図で、図４（ａ）はローダ部３によって光ディスクを筐体２の内部にローディングした後の状態を示す正面図、図４（ｂ）は図４（ａ）の側面図、図４（ｃ）は図３（ａ）及び図４（ｂ）の状態からスライド部１２を前方から見て左方向にスライドした状態を示す正面図、図４（ｄ）は図４（ｃ）の側面図である。
【００３１】
図５は、ローダ部３によって光ディスクを筐体２の内部にローディングした場合における再生部６とスライド部１２の動作の過程を説明する図で、図５（ａ）は図４（ｃ）及び図４（ｄ）の状態からスライド部１２を前方から見て更に左方向にスライドした状態を示す正面図、図５（ｂ）は図５（ａ）の側面図である。
【００３２】
図１に示すように、筐体２の前方にスライドしたローダ部３の凹部３０２に光ディスク２０が載置された状態で、図示しない指示釦によって制御部にローディング指示信号が入力されると、制御部は、ローダ部３を筐体２の内部にスライドするようローダ駆動用モータ５を制御する。ローダ駆動用モータ５は、ピニオン５０１を回転させ、図４（ｂ）に示すように、光ディスク２０を載置したローダ部３を筐体２の内部にスライドする。このとき、図４（ａ）に示すように、再生部６に保持された突出部７は、水平溝１２４に挿入された状態となる。
【００３３】
図４（ａ）及び図４（ｂ）の状態から図示しない指示釦によって制御部に再生指示信号が入力されると、制御部は、図１に示すモータ１５１を回転させ、スライド駆動部１５がスライド部１２を前方から見て左方向にスライドするよう制御する。スライド駆動部１５は、制御部の制御により、モータ１５１を回転させ、ウォーム１５２、ウォームホイール１５３及びベルト１５７を介してピニオン１５５を回転させ、このピニオン１５５に噛合ったスライド部１２の歯部１２１を左方向にスライドさせる。すると、図４（ｃ）及び図４（ｄ）に示すように、保持部１１の長孔部１１に挿入され左右方向への移動を抑止された突出部７は、スライド部１２の傾斜溝１２２の内壁を右方向に移動しながら保持部１１の長孔部１１１の内壁を上方に移動する。再生部６は、後方部分の左右の孔６０８がゴムブッシュ８及びスプリング９に保持されていることから、突出部７が上方に移動することによって、孔６０８を軸として上昇する。
【００３４】
そして、更にスライド部１２が左方向にスライドすると、図５（ａ）及び図５（ｂ）に示すように再生部６が孔６０８を軸として更に上昇し、ターンテーブル６０１が、筐体２の内部に搬送された光ディスク２０の孔２１に挿入される。制御部は、ターンテーブル６０１が光ディスク２０の孔２１に挿入された後、クランパ１６を降下させるよう制御を行う。光ディスク２０は、クランパ１６が降下することによって、ターンテーブル６０１とクランパ１６によって孔２１が狭持される。
【００３５】
ターンテーブル６０１は、制御部の制御により光ディスク２０を回転させる。光ピックアップ６０３は、図１に示すピックアップ駆動部６０４により光ディスク２０の径方向にスライドし、光ディスク２０に記録されているデータを読み取る。光ピックアップ６０３により読み取られたデータは、図示しないデータ再生回路によって再生される。
【００３６】
図５（ａ）及び図５（ｂ）に示すように、光ディスク２０をターンテーブル６０１によって回転させ、光ディスク２０に記録されたデータを再生する場合、図１に示すように、再生部６は、後方がゴムブッシュ８及びスプリング９によって保持された状態となり、前方がスライド部１２の水平溝１２３に突出部７が挿入した状態となる。
【００３７】
図６は、図５（ａ）及び図５（ｂ）に示すように、再生部６が上昇した状態における保持部１１、スライド部１２、ピン６０５及び突出部７を示す側面図である。
【００３８】
図５（ａ）及び図５（ｂ）に示すように、図１に示すスライド駆動部１５によってスライド部１２が左方向にスライドした状態のとき、ピン６０５に保持された突出部７は、保持部１１の長孔部１１１の上端に位置すると共に、傾斜溝１２２に連通した水平溝１２３に挿入された状態となり、また、孔６０８はゴムブッシュ８及びスプリング９を介してベース部１０に保持された状態となる。このため、例えば、再生部６によって再生する光ディスク２０が偏荷重を有しており、偏荷重を有する光ディスク２０をターンテーブル６０１によって回転させることによって光ディスク２０が水平方向又は上下方向に振動しても、突出部７の弾性部７０とゴムブッシュ８及びスプリング９が、ぞれぞれの弾性力により、再生部６の振動を抑制し、また、再生部６の振動が筐体２に伝達するのを抑制する。このとき、弾性部７０及びキャップ部７１の後端部分にそれぞれ鍔部７０２及び鍔部７１２を備えることにより、例えば、再生部６が前後方向に振動した場合でも、再生部６の前面と保持部１１の後面が当接してしまい、再生部６の振動が保持部１１に伝達してしまうのを防止することができる。
【００３９】
このことにより、偏荷重を有する光ディスク２０から発生した振動によって、再生部６が不要に振動してしまい、光ディスクに記録されているデータを光ピックアップが正確に読み取ることができなくなったり、光ディスクから伝達される断続的な振動によって再生部に備える光ピックアップや他の電子部品が破損してしまうことを防止することができる。また、光ディスクから発生した振動が、再生部６を介して筐体２にも伝達し、光ディスク再生装置１の全体に振動が生じて不要な騒音を発生させてしまい、また、筐体２に備えるローダ駆動用モータ５、スライド駆動部１５及び制御部等が振動により破損してしまうことを防止することができる。
【００４０】
以上のように、本実施例の光ディスク再生装置は、偏荷重を有する光ディスク２０から振動が発生しても、突出部７に備える弾性部７０の弾性力と、ゴムブッシュ８及びスプリング９の弾性力によって、再生部６の不要な振動を抑制し、また、筐体２に不要な振動が生じてしまうことを防止することができる。また、本実施例の光ディスク再生装置は、振動を抑止するための弾性部７０をピン６０５とキャップ部７１との間に介在させることにより、例えば、偏荷重を有する光ディスク２０から発生する振動を抑止するための弾性部材を保持部１１及びスライド部１２と筐体２との間に備えるような従来の光ディスク再生装置の構成と比較して、装置全体の容積を小さくすることができる。このため、光ディスク再生装置の容積を前述した弾性部材を保持部１１及びスライド部１２と筐体２との間に備えるような従来の光ディスク再生装置より小さくすることがでる。
【００４１】
本実施例の光ディスク再生装置は、再生部６の後方を弾性保持する手段として、再生部６の後方にゴムブッシュ８及びスプリング９を備える構成としたが、再生部６の後方の左右側面からそれぞれ水平方向に軸を突出させ、この軸を筐体に固定させた軸受けが軸支するようにして再生部６を昇降させる構成としても良い。この場合、軸受け部分に弾性部材を介在される構成とすれば、偏荷重を有する光ディスク２０から発生した振動による再生部６の不要な振動を抑制し、また、筐体２に不要な振動が生じてしまうことを防止することができる。
【図面の簡単な説明】
【００４２】
【図１】本発明の一実施例の光ディスク再生装置を示す上面図。
【図２】保持部１１及びスライド部１２の構成を示す図で、図２（ａ）は保持部１１を示す正面図、図２（ｂ）は保持部１１とスライド部１２の構成を示す正面図。
【図３】突出部７、ゴムブッシュ８及びスプリング９の構成を示す図で、図２（ａ）は図１に示す突出部７のＡ−Ａ断面図、図２（ｂ）は図１に示すゴムブッシュ８及びその周辺部分のＢ−Ｂ断面図。
【図４】ローダ部３によって光ディスクを筐体２の内部にローディングした場合における再生部６とスライド部１２の動作の過程を説明する図。
【図５】ローダ部３によって光ディスクを筐体２の内部にローディングした場合における再生部６とスライド部１２の動作の過程を説明する図。
【図６】図５（ａ）及び図５（ｂ）に示すように、再生部６が上昇した状態における保持部１１、スライド部１２、ピン６０５及び突出部７を示す側面図。
【符号の説明】
【００４３】
１  光ディスク再生装置、２  筐体、２０１  開口部、
３  ローダ部、３０１  ディスク載置部、３０２  凹部、３０３  孔、
３０４  凸部、３０５  ラックギヤ、
４  案内部、５  ローダ駆動用モータ、５０１  ピニオン、
６  再生部、６０１  ターンテーブル、６０２  スピンドルモータ、
６０３  光ピックアップ、６０４  ピックアップ駆動部、６０５  ピン、６０８  孔、
７  突出部、７０  弾性部、７０１  孔、７０２  鍔部、
７１  キャップ部、７１１  孔、７１２  鍔部、７２  Ｅリング、
８  ゴムブッシュ、９  スプリング、１０  ベース部、
１１  保持部、１１１  長孔部、
１２  スライド部、１２１  歯部、１２２  傾斜溝、１２３  水平溝、１２４  水平溝、
１３  スライド案内部、１３１  凹部、
１５  スライド駆動部、１５１  モータ、１５２  ウォーム、１５３  ウォームホイール、
１５４  プーリ、１５５  ピニオン、１５６  プーリ、１５７  ベルト、
１６  クランパ、２０  光ディスク、２１  孔
【図１】
2010086599.tif 000003
【図２】
2010086599.tif 000004
【図３】
2010086599.tif 000005
【図４】
2010086599.tif 000006
【図５】
2010086599.tif 000007
【図６】
2010086599.tif 000008